(57)【要約】      （修正有）【課題】より安定した接合状態を提供することにより、被固定物が落下することを防止することのできる固定釘を提供する。【解決手段】棒状本体１０を有する固定釘であって、棒状本体は長釘部１１を含み、長釘部は、斜めのねじ状表面が形成され、一端には尖鋭先端１２が形成され、もう一端には次第に広がるテーパー状リング１３がある。また、棒状本体のもう一端には大頭部１４があり、かつ大頭部とテーパー状リングとの間は、頸部１５によってつながる。【選択図】図１
0003173150.tif 000002
【実用新案登録請求の範囲】
【請求項１】
棒状本体を有する固定釘であって、
該棒状本体は、長釘部を含み、
該長釘部は、斜めのねじ状表面が形成され、一端には尖鋭先端が形成され、もう一端には次第に広がるテーパー状リングがあり、
該棒状本体のもう一端には大頭部があり、
該大頭部とテーパー状リングとの間は、頸部によってつながることを特徴とする固定釘。
【請求項２】
該棒状本体の頸部の長さは、被固定物の厚さに合わせて決められることを特徴とする請求項１に記載の固定釘。
【請求項３】
棒状本体の大頭部は、上から下へ次第に狭まる逆テーパー状であり、かつ端部が平面状であることを特徴とする請求項１に記載の固定釘。
【考案の詳細な説明】
【技術分野】
【０００１】
本考案は、固定釘構造に関し、特により安定した接合状態を提供することにより、被固定物が落下することを防止することのできる固定釘に関する。
【背景技術】
【０００２】
現在の一般的な固定釘構造は、図１３、１４に示す釘の改良構造のように、棒体３０の一端に先端３１が形成され、もう一方の端に尖鋭端３２が形成され、その特徴は、以下の構成にある。即ち、上記棒体３０の先端３１に近いところには、拡大のテーパーリング３３が形成され、さらに適当な長さの棒状頭部３４が形成されることにより、棒状頭部３４とテーパーリング３３とが接合するところに環状周縁３５が形成され、それにより、取付け物３６に打ち込まれた釘をより平らな状態で安定して固定することができる。
【０００３】
しかし、上述した従来の構造は、主に以下の欠点がある。即ち、上記釘は、棒体３０の尖鋭端３２が取付け物３６を通ることによって壁に取り付けられる。また、環状周縁３５は、保持効果を奏し、取付け物３６が壁から落下することを防止する。しかし、上記棒体３０の尖鋭端３２から環状周縁３５までの間は、平滑表面からなるため、壁の内部と平面的に接触するのみで他の干渉効果を奏することができない。これにより、上記棒体３０は、外力を受けると壁から外されやすく、さらに取付け物３６も壁から取り外される。
【０００４】
上記を鑑み、本考案者は、長年携わってきた関連製品の製造開発及び設計の経験に基づいて、上述した目標を詳しく設計し慎重に検討した結果、確実に実用性を持つ本考案を生み出したものである。
【考案の概要】
【考案が解決しようとする課題】
【０００５】
従来の釘棒体は、尖鋭端が取付け物を通ることによって壁に取り付けられ、また、環状周縁は、保持効果を奏し、取付け物が壁から落下することを防止する。しかし、上記釘の尖形端から環状周縁までの間は、平滑表面からなるため、壁の内部と平面的に接触するのみで他の干渉効果を奏することができない。このため、上記釘は、外力を受けると壁から外されやすく、さらに取付け物も壁から取り外される。上記欠点は、本考案が解決しようとする技術問題点である。
【課題を解決するための手段】
【０００６】
棒状本体を有する固定釘であって、上記棒状本体は、長釘部を含み、上記長釘部は、斜めのねじ状表面が形成され、一端には尖鋭先端が形成され、もう一端には次第に広がるテーパー状リングがあり、また、上記棒状本体のもう一端には大頭部があり、かつ上記大頭部とテーパー状リングとの間は、頸部によってつながる固定釘構造である。
【考案の効果】
【０００７】
上記棒状本体が被固定物を通って壁又は骨組みに固定される時、長釘部は、斜めのねじ状表面で締め嵌合状態を形成し、またテーパー状リングが壁又は骨組み内に入る時、外向きの保持効果をも奏するため、上記棒状本体は、壁又は骨組みから外されにくく、最後に大頭部により被固定物を壁又は骨組み側へ制限配置させることにより、上記被固定物を安定に接合・固定することができ、上記棒状本体構造の使用上の実用性を向上することができる。
【図面の簡単な説明】
【０００８】
【図１】図１は、本考案の立体図である。
【図２】図２は、本考案の前、後側面図である。
【図３】図３は、本考案の使用状態の連続作動図(一)である。
【図４】図４は、本考案の使用状態の連続作動図(二)である。
【図５】図５は、本考案の使用状態の連続作動図(三)である。
【図６】図６は、本考案の使用状態の連続作動図(四)である。
【図７】図７は、本考案の使用状態の連続作動図(五)である。
【図８】図８は、本考案の使用状態の連続作動図(六)である。
【図９】図９は、本考案のもう１つの実際使用状態の概略図である。
【図１０】図１０は、本考案のもう１つの好適な実施例の概略図である。
【図１１】図１１は、本考案のもう１つの好適な実施例の使用概略図である。
【図１２】図１２は、本考案のもう１つの好適な実施例の使用状態図である。
【図１３】図１３は、従来構造の立体図である。
【図１４】図１４は、従来構造の使用概略図である。
【考案を実施するための形態】
【０００９】
以下に、本考案の目的、特徴及び効果をより理解、認識してもらうため、図面にあわせ実施例を挙げ、詳しく説明する。
【００１０】
まず、図１、２を参照されたい。図１、２に示すように、固定釘は、主に棒状本体１０を有する。上記棒状本体１０は、長釘部１１を含む。上記長釘部１１は、斜めのねじ状表面１１１が形成され、また一端には尖鋭先端１２が形成され、もう一端には次第に広がるテーパー状リング１３がある。また、上記棒状本体１０のもう一端には大頭部１４があり、上記大頭部１４とテーパー状リング１３との間は、頸部１５によってつながる。上記頸部１５の長さは、被固定物２０の厚さに合わせて決められる。
【００１１】
上記構造が実際に使用される状態は、図２から図６を参照されたい。上記図２から図６に示すように、上記棒状本体１０は、鉄筋コンクリート（ＲＣ）壁又は軽量間仕切り等の被固定物２０からなる構造の施工に用いられる。それらを固定する時、被固定物２０を壁又は骨組みの上に付着させてから、被固定物２０の表面に棒状本体１０の尖鋭先端１２を付け、槌で打ち込むことにより、長釘部１１が斜めのねじ状表面１１１によりヘリカル状に被固定物２０を通って徐々に壁又は骨組みの内部へ入っていく。また、長釘部１１のもう一端のテーパー状リング１３が被固定物２０を通る時、次第に狭まるテーパー状リング１３の端面は、ついで被固定物２０を通って壁又は骨組み内に入り、かつ頸部１５が被固定物２０内に入る。この時、上記頸部１５は、被固定物２０の弾性繊維の収縮によって覆われる(図７に示すように)。これにより、テーパー状リング１３が壁又は骨組み内に入った後、位置制限効果を奏するため、棒状本体１０が外へ外され落下することを防止することができる。最後に、大頭部１４を被固定物２０の外表面まで打ち込む(図８に示すように)ことにより、被固定物２０をＲＣ壁又は軽量鋼構造等の構造に固定する。長釘部１１の斜めのねじ状表面１１１が壁の内部と締め効果があることで嵌合状態を形成すると共に、テーパー状リング１３が壁の内部に制限されることで位置制限を形成することにより、好適な固定効果を奏することができる。
【００１２】
本考案のもう１つの実際使用の状態は、図９を参照されたい。図９に示すように、上記棒状本体１０は、塗装板の構造組立に応用することができる。この場合、被固定物２０は、波板構造である。上記波板の平板な箇所を壁又は骨組みに貼り付け、棒状本体１０を波板の隆起部から打ち込むと同時に、長釘部１１及びテーパー状リング１３が被固定物２０を通って壁又は骨組み内に入り、長釘部１１で締め嵌合状態を形成し、またテーパー状リング１３が壁又は骨組み内に制限されるため、位置制限の保持効果を奏する。最後に、棒状本体１０のもう一端にある大頭部１４は、波板の隆起部の表面に接触するため、波板を壁又は骨組みに安定に固定することができる。
【００１３】
本考案のもう１つの好適な実施例は、図１０、１１を参照されたい。図１０、１１に示すように、上記棒状本体１０は装飾用釘であり、ケイ酸カルシウム板又はプラスチック合成板等に被固定物２０を接合・配置することに応用することができる。大頭部１４は、上から下へ次第に狭まる逆テーパー状であり、かつ端部が平面状であるため、上記棒状本体１０が被固定物２０を通って壁又は骨組みに固定される時、大頭部１４は埋め込まれるため被固定物２０の表面と平らになる(図１２に示すように)。これにより、大頭部１４が露出することで壁の全体の視覚感覚を破壊することを防止すると共に、装飾後の美観を保つことができる。
【００１４】
上述した具体的な実施例の構造によれば、以下の効果を奏することができる。即ち、上記棒状本体１０が被固定物２０を通って壁又は骨組みに固定される時、長釘部１１は、斜めのねじ状表面１１１で締め嵌合状態を形成し、またテーパー状リング１３が壁又は骨組み内に入る時、外向きの保持効果をも奏するため、上記棒状本体１０は、壁又は骨組みから外されにくい。最後に、大頭部１４により被固定物２０を壁又は骨組み側へ制限配置させることにより、上記被固定物２０を安定に接合・固定することができ、上記棒状本体１０の使用上の実用性を向上することができる。
【００１５】
上記は、本考案の好適な実施例に過ぎず、本考案の範囲を限定するものではない。本考案の実用新案登録請求の範囲に基づいて行った様々な変更及び修正は、すべて本実用新案登録の範囲内に含まれる。
【符号の説明】
【００１６】
１０  棒状本体
１１  長釘部
１１１  斜めのねじ状表面
１２  尖鋭先端
１３  テーパー状リング
１４  大頭部
１５  頸部
２０  被固定物
３０  棒体
３１  先端
３２  尖鋭端
３３  テーパーリング
３４  棒状頭部
３５  環状周縁
３６  取付け物
【図１】
0003173150.tif 000003
【図２】
0003173150.tif 000004
【図３】
0003173150.tif 000005
【図４】
0003173150.tif 000006
【図５】
0003173150.tif 000007
【図６】
0003173150.tif 000008
【図７】
0003173150.tif 000009
【図８】
0003173150.tif 000010
【図９】
0003173150.tif 000011
【図１０】
0003173150.tif 000012
【図１１】
0003173150.tif 000013
【図１２】
0003173150.tif 000014
【図１３】
0003173150.tif 000015
【図１４】
0003173150.tif 000016